(57)【特許請求の範囲】
【請求項１】
カバー材および複数の基板を有する壁面ガードレールと、
笠木および複数の取付ブラケットを有する手すりと、
からなり、
前記複数の基板は、互いに所定の取付間隔をあけて壁面に対して固定され、
前記カバー材は、前記複数の基板を跨いで該基板に取付けられ、
前記取付ブラケットは、前記複数の基板の間でかつ前記カバー材で覆われた位置において壁面に固定される固定部と、該固定部から前記取付間隔を通して外部へ伸びる支持片部とを有し、
前記笠木は、前記カバー材の長手方向に伸びて、前記支持片部を介して前記固定部に連結されており、
前記複数の基板は、その全長に渡って上端部から壁面に対して離れる方向に伸びる起立部を有し、
前記複数の基板に跨って前記カバー材を取付けた状態で、壁面と該カバー材と隣り合う一対の前記起立部とによって囲まれて上方へ向けて開口される挿通口が形成されて、前記支持片部が該挿通口を通過している、
ことを特徴とする手すり付き壁面ガードレール。
【請求項２】
請求項１において、
前記起立部が、前記カバー材の上端よりも高くなるように位置設定されて、前記カバー材と壁面との間の隙間を埋める上壁部を実質的に構成している、
ことを特徴とする手すり付き壁面ガードレール。
【請求項３】
請求項１において、
前記起立部が、前記カバー材の上端よりも低くなるように位置設定されており、
前記カバー材の上端部には、該カバー材の上端と壁面との間の隙間を埋める軟質のパッキン材が一体化されている、
ことを特徴とする手すり付き壁面ガードレール。
【請求項４】
請求項１において、
前記固定部が、前記取付間隔よりも広幅に形成されており、
前記基板には、壁面から離れる方向に膨出するように形成されて、前記固定部のうち前記取付間隔を越えて該基板側に伸びる拡張部分との干渉を避けるための背面収納部が形成されている、
ことを特徴とする手すり付き壁面ガードレール。
【請求項５】
請求項１において、
前記基板には、上下一対の係止部が形成されており、
前記カバー材には、前記上下一対の係止部に係合されて前記基板に対する取付状態を維持するための上下一対の係合部が形成されている、
ことを特徴とする手すり付き壁面ガードレール。
【請求項６】
請求項５において、
前記上下一対の係止部のうち上側の係止部が、前記起立部の延長部分に形成され、
前記上下一対の係合部のうち上側の係合部が、前記カバー材の上側端部に形成されている、
ことを特徴とする手すり付き壁面ガードレール。
【請求項７】
請求項５において、
前記上下一対の係止部のうち下側の係止部が、前記基板の下側端部に形成され、
前記上下一対の係合部のうち下側の係合部が、前記カバー材の下側端部に形成されている、
ことを特徴とする手すり付き壁面ガードレール。
【請求項８】
請求項１ないし請求項７のいずれか１項において、
前記基板の下側の端部が、壁面との間に小間隙を構成するように設定されており、
前記基板の下方において壁面に固定される腰壁仕上げ材の上端部が、前記小間隙を通して該基板の裏面側に伸びている、
ことを特徴とする手すり付き壁面ガードレール。
【発明の詳細な説明】
【０００１】
【発明の属する技術分野】
本発明は、手すり付き壁面ガードレールに関するものである。
【０００２】
【従来の技術】
病院、介護施設等における廊下や室内の側壁を構成する壁面には、ストレッチャー（担架）が当接されたときの損傷防止のために、壁面ガードレールが取付けられることが多い。この壁面ガードレールは、壁面に固定される基板と、基板に対して取付けられるカバー材とから構成されることが多い。
【０００３】
一方、上述の壁面には、患者等の歩行補助のために、手すりが取付けられることが多い。そして、同じ壁面に対して、壁面ガードレールと手すりとの両方を設けることも行われており、通常は、壁面ガードレールの上方に手すり（の笠木）が配設される。
【０００４】
壁面に対して壁面ガードレールと手すりとの両方を設ける場合に、壁面ガードレールの壁面に対する取付けと、手すりの壁面に対する取付とを全く別個独立して行う場合は、それぞれ要求される機能を十分に発揮させることができる。すなわち、壁面ガードレールに関していえば、その長手方向に隙間なく連続した状態での取付けを行うことが可能になる。また、手すりに関して言えば、患者等の手で把持される笠木が、壁面に対して固定される取付ブラケットが位置する部分を除いて、その周方向３６０度の範囲で握り操作できるように、つまり笠木をしっかりと握ることができるという状態での取付けを行うことができる。しかしながら、この場合は、手すりの取付ブラケット、特に壁面への固定部分が外部に大きく露出した状態となってしまい、外観上の体裁がよくないものとなる。さらに、壁面スペースの有効利用の点からも問題となる。
【０００５】
壁面ガードレールと手すりとを関係付けて壁面に取付けるようにしたものとして、例えば特開平５−８６７０２号公報、特開平８−９３１６５号公報、実開平３−８０８３２号公報、意匠登録第１０８９５３７号公報がある。上記各公報記載のものは、壁面ガードレールと手すりとを押し出し成形によって一体成形したものとなっている。このため、患者等の手で把持される笠木の下部に、壁面ガードレールと笠木とを連結する連結部がその長手方向全長に渡って存在することになり、笠木をしっかりと把持できるようにするという観点からは好ましくないものとなる。また、壁面ガードレールの取付のみが要求される場合、あるいは手すりの取付けのみが要求される場合には、対応できないものとなる。
【０００６】
また、特開２００１−２０７６１３号公報には、壁面に対して、手すりの長手方向に沿って長く伸びる補強板を別途取付けて、この補強板が存在する部分に対して、手すりの取付ブラケットを固定するものが開示されている。しかしながら、この補強板は、あくまで手すりの壁面に対する取付部位を補強するものであって、壁面ガードレールについてはなんら認識されていないものとなっている。また、この公報記載のものでは、手すりの取付ブラケットが外部に大きく露出したままであり、外観上の見栄えの点でも好ましくないばかりでなく、ストレッチャーが当接した場合に取付ブラケットが邪魔になってしまい、壁面ガードレールとしての役目を果たさないものとなる。
【０００７】
本発明は以上のような事情を勘案してなされたもので、その目的は、壁面ガードレールのみを取付ける場合と、手すりのみを取付ける場合と、壁面ガードレールと手すりとの両方を取付ける場合といずれにも対応することができ、また手すりの笠木をしっかりと把持することが可能であり、さらに外観上の見栄えの点でも好ましい状態が得られるばかりでなく、限られた壁面スペースを有効に利用できるようにした手すり付き壁面ガードレールを提供することにある。
【０００８】
【課題を解決するための手段】
前記目的を達成するため、本発明にあっては次のような解決手法を採択してある。すなわち、特許請求の範囲における請求項１に記載のように、
カバー材および複数の基板を有する壁面ガードレールと、
笠木および複数の取付ブラケットを有する手すりと、
からなり、
前記複数の基板は、互いに所定の取付間隔をあけて壁面に対して固定され、
前記カバー材は、前記複数の基板を跨いで該基板に取付けられ、
前記取付ブラケットは、前記複数の基板の間でかつ前記カバー材で覆われた位置において壁面に固定される固定部と、該固定部から前記取付間隔を通して外部へ伸びる支持片部とを有し、
前記笠木は、前記カバー材の長手方向に伸びて、前記支持片部を介して前記固定部に連結されており、
前記複数の基板は、その全長に渡って上端部から壁面に対して離れる方向に伸びる起立部を有し、
前記複数の基板に跨って前記カバー材を取付けた状態で、壁面と該カバー材と隣り合う一対の前記起立部とによって囲まれて上方へ向けて開口される挿通口が形成されて、前記支持片部が該挿通口を通過している、
ようにしてある。
【０００９】
これにより、笠木は、複数の基板の間に位置する取付ブラケットの部分を除いてその周方向３６０度の範囲に渡って開放されているので、笠木を手でしっかりと把持することが可能になる。また、カバー材が、取付ブラケットが位置する部分を跨ぐようにして連続的に伸びるので、特に取付ブラケットの壁面に対する固定部分がカバー材によって覆われて外部からは目視できないようにされるので、外観上の見栄えの上でも好ましいばかりでなく、壁面ガードレールの取付スペースを取付ブラケットの固定部分の配設スペースとして有効に利用することができる。
また、手すりは、通常の取付ブラケットと笠木とを有するものをそのまま使用できるので、壁面に対して手すりのみを取付けて壁面ガードレールを取付けない場合にもそのまま対応することができる。同様に、壁面ガードレールは、そのカバー材が複数の基板に跨って連続的に取付けられるようにしてあるので、外観上の見栄えを確保しつつ、壁面に対して壁面ガードレールのみを取付けて手すりを取付けない場合にもそのまま対応することができる。
【００１０】
上記解決手法を前提とした好ましい態様は、特許請求の範囲における請求項２〜請求項８に記載のとおりである。すなわち、
前記起立部が、前記カバー材の上端よりも高くなるように位置設定されて、前記カバー材と壁面との間の隙間を埋める上壁部を実質的に構成している、ようにすることができる（請求項２対応）。この場合、基板の起立部を極力有効に利用して、壁面ガードレールの実質的な上壁部を構成、つまり壁面とカバー材との隙間を起立部によって埋めた状態とすることができる。
【００１１】
前記起立部が、前記カバー材の上端よりも低くなるように位置設定されており、
前記カバー材の上端部には、該カバー材の上端と壁面との間の隙間を埋める軟質のパッキン材が一体化されている、
ようにすることができる（請求項３対応）。この場合、パッキン材によって、壁面とカバー材との間の隙間を埋めることができる。また、パッキン材は軟質なので、壁面に多少の不陸があっても、壁面とカバー材との間の隙間を確実に埋めることができる。
【００１２】
前記固定部が、前記取付間隔よりも広幅に形成されており、
前記基板には、壁面から離れる方向に膨出するように形成されて、前記固定部のうち前記取付間隔を越えて該基板側に伸びる拡張部分との干渉を避けるための背面収納部が形成されている、
ようにすることができる（請求項４対応）。この場合、取付ブラケットの固定部を幅広とすることより壁面への当接面積が増大されて、手すりをしっかりと壁面に固定する上で好ましいものとなる。
【００１３】
前記基板には、上下一対の係止部が形成されており、
前記カバー材には、前記上下一対の係止部に係合されて前記基板に対する取付状態を維持するための上下一対の係合部が形成されている、
ようにすることができる（請求項５対応）。この場合、係止部と係合部とを利用した係合作用によって、別途固定具を用いることなくカバー材を基板に取付けることができる。また、係止部と係合部とは上下一対存在するので、カバー材の基板に対する取付けをしっかりと確保することができる。
【００１４】
前記上下一対の係止部のうち上側の係止部が、前記起立部の延長部分に形成され、
前記上下一対の係合部のうち上側の係合部が、前記カバー材の上側端部に形成されている、
ようにすることができる（請求項６対応）。この場合、係合される部分を起立部の近くに設定して、起立部とカバー材の上端部との相対的な位置関係をきちんと所望のものに確保する上で好ましいものとなる。
【００１５】
前記上下一対の係止部のうち下側の係止部が、前記基板の下側端部に形成され、
前記上下一対の係合部のうち下側の係合部が、前記カバー材の下側端部に形成されている、
ようにすることができる（請求項７対応）。この場合、基板とカバー材との各下側の端部を有効に利用して、係合部分を構成することができる。
【００１６】
前記基板の下側の端部が、壁面との間に小間隙を構成するように設定されており、
前記基板の下方において壁面に固定される腰壁仕上げ材の上端部が、前記小間隙を通して該基板の裏面側に伸びている、
ようにすることができる（請求項８対応）。この場合、壁面ガードレールと腰壁仕上げ材との間に不用意に隙間が形成されてしまう事態を確実に防止して、壁面ガードレールと腰壁仕上げ材との見切り線をきちんと設定する上で好ましいものとなる。
【００１７】
【発明の実施の形態】
第１実施形態（図１〜図４）
図１〜図４は本発明の第１実施形態を示すものである。図１において、１は壁面であり、この壁面１は、病院や介護施設等の廊下の側壁面となる固定壁面１Ａと、開閉ドア２のドア面となる可動壁面１Ｂとの両方を含むものとなっている。壁面１Ａには、略水平方向に伸ばして、壁面ガードレール３と、手すり５との両方が取付けられている。
【００１８】
手すり５は、取付ブラケット５１と笠木５２とを有する。取付ブラケット５１は、壁面ガードレール３の長手方向に間隔をあけて複数設けられている。また、笠木５２は、壁面ガードレール３の上方に位置されてその全長に渡って伸びている。また、可動壁面となる壁面１Ｂには、壁面ガードレール３のみが取付けられていて、手すり５は取付けられていない（壁面１Ｂにも手すり５を取付けるようにしてもよい）。勿論、壁面ガードレール３の高さ位置は、図示を略すストレッチャーが当接されることの多い高さ位置となるように設定されている。また、笠木５２の高さ位置は、起立歩行者が横に手を伸ばした高さ位置となるように設定されている。
【００１９】
図２〜図４において、壁面ガードレール３は、基板３１と、カバー材３２とを有する。なお、壁面ガードレール３の構造は、壁面１Ａ用と１Ｂ用とのいずれについても同じなので、以下の説明では壁面１Ａに対する取付構造に着目して説明する。まず、基板３１は、固定部３３を有する。固定部３３は、壁面１Ａに広い面積でもって当接されるようにほぼ上下方向に平板状に伸びていて、固定具としてのねじ３４によって壁面１Ａに固定されている。基板３１の上部には、上側支持片部Ｕ１が形成されている。この上側支持片部Ｕ１は、前方つまり壁面１Ａから離れる方向に突出する起立部３５を有する。起立部３５は、実施形態では、一旦前方へ伸びた後下方へ伸びている形状とされている。上側支持片部Ｕ１は、起立部３５からの延長部分において、上側係止部３６を有する。この上側係止部３６は、起立部３５の直下方に位置して、上下方向に伸びる第１部分３６ａと、第１部分３６ａの下端から前方へ伸びる第２部分３６ｂと、第２部分３６ｂの前端から上方へ伸びる第３部分３６ｃとを有している。
【００２０】
基板３１の下端部には、下側支持片部Ｕ２が形成されている。この下側支持片部Ｕ２は、前方へ向けて略円弧状に膨出形成されており、ほぼ後方に向けて伸びるその下端部が、下側係止部３７を構成している。そして、下側係止部３７と壁面１Ａとの間には、小間隙３８が形成されている。基板３１はさらに、その上下方向略中間部において、前方へ向けて伸びる中央突起部３９を有し、この中央突起部３９の先端部は、下方かつ後方に向かうように折曲された折曲部３９ａとされている。なお、以上のような基板３１は、実施形態では、例えばアルミニウム合金等の金属材を押し出し成形することによって形成されており、したがって、各部分Ｕ１（３５、３６）、Ｕ２（３７）は、基板３１の全長に渡って伸びている。このような基板３１は、壁面１Ａに対して、互いに所定の取付間隔（隙間）Ｘをあけて、複数配設、固定されている。
【００２１】
基板３１に取付けられる前記カバー材３２は、複数の基板３１を跨いで（基板３１の間に形成される取付間隔Ｘを跨いで）、壁面ガードレール３の全長に渡って一体のものとして長く伸びている。このカバー材３２は、その上下方向略中間部がもっとも前方へ位置するように（高くなるように）形成されている。このカバー材３２の上端部には、上側係合部４０が形成されている。すなわち、実施形態では、カバー材３２の上端部は、一旦後方に向けて伸びた後、下方に向けて伸びており、この下方に伸びる爪片状部分が、上側係合部４０を構成している。
【００２２】
カバー材３２の下端部には、下側係合部４１が形成されている。すなわち、実施形態では、カバー材の下端部は、一旦後方へ伸びた後、上方へ向けて伸びるように形成されており、この上方へ向けて伸びる爪片状部分が、下側係合部４１を構成している。このような、カバー材３２は、例えば硬質合成樹脂等を押し出し成形することにより、その全長に渡って図２に示す断面構造となるように形成されている。
【００２３】
カバー材３２の基板３１への取付けは、基板３１の上下一対の係止部３６、３７に対して、カバー材３２の上下一対の係合部４０、４１を係合させることにより行われる。すなわち、あらかじめ壁面１Ａに固定された基板３１に対して、カバー材３２をその前方側から接近させて、上側係合部４０を基板３１の上側係止部３６に係合させると共に、下側係合部４１を基板３１の下側係止部３７に係合させることにより行われる。なお、このような係合は、カバー材３２を若干弾性変形させつつ行われる。そして、カバー材３２の基板３１への取付状態では、カバー材３２の上下方向略中間部が基板３１の中央突起部３９に支承されて、カバー材３２に対して前方からの大きな外力が作用したときに、中央突起部３９でもってカバー材３２を弾力的に支承するようにされている。
【００２４】
基板３１にカバー材３２を取付けた状態では、カバー材３２の上端部と壁面１Ａとの間には間隙が形成される。しかしながら、この間隙は、基板３１の起立部３５によって埋められることになって、外観上は、起立部３５が壁面ガードレール３の実質的な上壁部を構成して、外部から目視したときにカバー材３２と壁面１Ａとの間には隙間が存在しない状態とされる。
【００２５】
前述の起立部３５は、手すり５の取付ブラケット５１が存在する部分、つまり取付間隔Ｘの部分には存在しないことになる。つまり、取付間隔Ｘの部分では、壁面１Ａと、カバー材３２（の上端部）と、隣り合う一対の基板３１（の起立部３５）とによって、上方に向けて開口された挿通口４２が形成されることになる。そして、本発明では、後述するように、挿通口４２を利用して、取付ブラケット５１の配設を行うようにしてある。
【００２６】
手すり５の取付ブラケット５１は、固定部５３を有する。この固定部５３は、前記取付間隔Ｘとほぼ同一幅となるように形成されて、当該取付間隔Ｘに位置された状態で、壁面１Ａに対して固定されている。すなわち、壁面１Ａには、取付間隔Ｘの位置においてあらかじめアンカボルト５４が埋め込まれ、このアンカボルト５４に螺合されたナット５５によって、固定部５３が壁面１Ａに強く圧着、固定されている。
【００２７】
取付ブラケット５１は、固定部５３の上部から一体的に伸びる支持片部５６をさらに有する。支持片部５６は、前述の挿通口４２を通って、一旦前方へ略水平に伸びた後に上方へ向けて伸びて、その上端部に笠木５２が連結されている。このように、壁面ガードレール３の上部に形成される挿通口４２を通過する支持片部５６を利用して、笠木５２が固定部５３に対して一体に連結されることになる。
なお、笠木５２は、心材部５７と、心材部５７の全周囲を囲む本体部（被覆部）５８とを有する。心材部５７は、例えばアルミニウム合金等の金属材を押し出し成形することによって形成されて、ボルト５９によって支持片部５６に固定される。また、本体部５８は、例えば軟質合成樹脂を押し出し成形することにより形成されている。
【００２８】
図２に示すように、壁面１Ａには、壁面ガードレール３の下方において、腰壁仕上げ材７１（図１、図３、図４では図示略）が固定される。この腰壁仕上げ材７１の上端部は、基板３１の下端部に形成された小間隙３８を通して、当該基板３１の下端よりも若干高い位置にまで伸びている。これにより、壁面ガードレール３と腰壁仕上げ材７１との見切り線がきちんとしたものとなる。
【００２９】
ここで、図２から容易に理解されるように、カバー材３２の上端部は、起立部３５の下方に位置されて、この起立部３５が、外部から目視可能な壁面ガードレール３の上壁部を構成することになる。そして、カバー材３２と基板３１との上側の係合は、起立部３５の直近で行われるために、起立部３５とカバー材３２の上端部との位置ずれが生じがたいものとなっている。また、笠木５２は、取付ブラケット５１の部分を除いて、その周方向３６０度範囲に渡って手で把持することが可能となり、笠木５２を指先でしっかりと把持できることになる。
【００３０】
壁面１Ｂについては、手すり５が存在しないで、壁面ガードレール３のみが取付けられる。この場合、壁面１Ｂに対する壁面ガードレール３の取付は、壁面１Ａに対する取付と全く同じように行うことができる。ただし、基板３１は、実施形態では押し出し成形によって長尺に形成されているので、基板３１をその長手方向に分割することなく（取付間隔Ｘを形成することなく）、壁面１Ｂに取付けることもできる。換言すれば、長手方向に分割して複数取付けることが要求される壁面１Ａへの取付けに際しては、長尺の基板３１が切断して用いられることになる。
【００３１】
図５〜図７は、本発明の第２実施形態を示すものであり、前記実施形態と同一構成要素には同一符号を付してその重複した説明は省略する（このことは以下の第３実施形態についても同じ）。本実施形態では、取付ブラケット５１の固定部５３Ａ（前記実施形態の固定部５３に相当）が、前記実施形態の場合よりも壁面ガードレール３の長手方向に幅広とされている。具体的には、固定部５３Ａの幅は、取付間隔Ｘの開口幅よりも十分に大きくされている。これにより、固定部５３Ａの壁面１Ａ（１Ｂ）に対する当接面積が増大されて、取付強度向上の上で好ましいものとなる。また、支持片部５６を固定部５３よりも細く形成することが可能となり、笠木５２をその周方向３６０度範囲に渡って手で把持することができる範囲を極力長く確保する上でも好ましいものとなる。
【００３２】
固定部５３Ａが幅広にされたことに伴って、基板３１には、固定部５３Ａに対応する位置において、前方へ膨出することにより形成された背面収納部４５が形成されている。すなわち、背面収納部４５の裏面側（壁面側）には、固定部５３Ａのうち幅広とされることによって基板３１側へ飛び出した拡張部分５３ｂが収納される逃げ用の空間が形成されることになり、これにより固定部５３Ａ（の拡張部分５３ｂ）と基板３１との干渉が防止される。
【００３３】
図８〜図１０は、本発明の第３実施形態を示すものである。本実施形態では、前記第１実施形態の場合に比して、基板３１に形成された起立部３５Ａ（起立部３５に相当）が、基板３１に取付けられたカバー材３２の上端よりも下方に位置されている。すなわち、上側支持片部Ｕ１Ａ（第１実施形態のＵ１に相当）の一部を構成する起立部３５Ａは、固定部３３の上端部から一旦略水平に前方へ向けて伸びた後、上方かつ後方へ向かうように略半円弧状に折り返されており、この折り返された端部が、上側係止部３６Ａ（第１実施形態の３６に相当）とされている。
【００３４】
カバー材３２の上端部には、例えば軟質合成樹脂からなる軟質のパッキン材４６が一体化されている。このパッキン材４６は、カバー材３２の全長に渡って形成されており、例えば、カバー材３２の押し出し成形時に、合わせて形成することができる。このようなパッキン材４６は、前後方向に伸びて、カバー材３２の上端部と壁面１Ａ（１Ｂでも同じであり、このことは以下の説明でも同じ）との間に形成される隙間を埋める作用を行う。なお、パッキン材４６をカバー材３２とは別体に形成してもよく、この場合は、例えばパッキン材４６をカバー材３２の上側係合部４０に係合させるようにして取付ければよい。
【００３５】
パッキン材４６は、軟質であるからして、壁面１Ａに確実に当接するように、カバー材３２の上端部と壁面１Ａとの間に形成される前後方向長さ（隙間）よりも若干長く形成しておくことができる。また、パッキン材４６は、その先端部に多数の舌片部（凹凸部）４６ａが形成されて、より十分に弾性変形することが可能となっている。そして、パッキン材４６は、取付ブラケット５１（の支持片部５６）が位置する部分では、取付ブラケット５１によってほぼ前方へ向けて押圧変形されることになる。
【００３６】
以上実施形態について説明したが、本発明はこれに限らず例えば次のような場合をも含むものである。基板３１やカバー材３２を構成する材質は、従来から用いられている適宜のものとすることができる。カバー材３２を基板３１に取付けるための係止部と係合部とは、上下一対のみに限定されるものではなく、１箇所のみあるいは３箇所以上であってもよい。また、カバー材３２の基板３１に対する取付けは、例えばねじ等の固定具を利用した取付けであってもよい。勿論、本発明の目的は、明記されたものに限らず、実質的に好ましいあるいは利点として表現されたものを提供することをも暗黙的に含むものである。
【００３７】
【発明の効果】
本発明によれば、壁面ガードレールのみを取付ける場合と、手すりのみを取付ける場合と、壁面ガードレールと手すりとの両方を取付ける場合といずれにも対応することができ、また手すりの笠木をしっかりと手で把持することが可能であり、さらに外観上の見栄えの点でも好ましいものが得られる。
【図面の簡単な説明】
【図１】本発明が適用された壁面の一例を示す全体正面図。
【図２】本発明の第１実施形態を示す要部拡大側面断面図。
【図３】図２を右方から見た一部断面正面図。
【図４】図２の分解斜視図。
【図５】本発明の第２実施形態を示すもので、図２に対応した図。
【図６】本発明の第２実施形態を示すもので、図３に対応した図。
【図７】本発明の第２実施形態を示すもので、図４に対応した図。
【図８】本発明の第３実施形態を示すもので、図２に対応した図。
【図９】本発明の第３実施形態を示すもので、図３に対応した図。
【図１０】本発明の第３実施形態を示すもので、図４に対応した図。
【符号の説明】
１、１Ａ、１Ｂ：壁面
２：開閉ドア
３：壁面ガードレール
５：手すり
３１：基板
３２：カバー材
３３：固定部
３５、３５Ａ：起立部
３６：上側係止部
３７：下側係止部
３８：小間隙
４０：上側係合部
４１：下側係合部
４５：背面収納部
４６：軟質のパッキン材
５１：取付ブラケット
５２：笠木
５３：固定部（取付ブラケット）
５６：支持片部
７１：腰壁仕上げ材
Ｘ：取付間隔
【図１】
0003920695.tif 000002
【図２】
0003920695.tif 000003
【図３】
0003920695.tif 000004
【図４】
0003920695.tif 000005
【図５】
0003920695.tif 000006
【図６】
0003920695.tif 000007
【図７】
0003920695.tif 000008
【図８】
0003920695.tif 000009
【図９】
0003920695.tif 000010
【図１０】
0003920695.tif 000011